(57)【要約】  本願の実施例は、ランダムアクセスのための方法及びデバイスを開示し、該方法は、端末デバイスがランダムアクセスのための目標上り帯域幅パートＢＷＰ及び／又は目標下りＢＷＰを決定することと、前記端末デバイスが前記目標上り及び／又は下りＢＷＰにおいて、競合ランダムアクセスを開始することとを含む。
2021521665.tif 000002
【特許請求の範囲】
【請求項１】
端末デバイスがランダムアクセスのための目標上り帯域幅パートＢＷＰ及び／又は目標下りＢＷＰを決定することと、
前記端末デバイスが前記目標上り及び／又は下りＢＷＰにおいて、競合ランダムアクセスを開始することとを含む
ことを特徴とするランダムアクセスのための方法。
【請求項２】
前記端末デバイスがランダムアクセスのための目標上り帯域幅パートＢＷＰ及び／又は目標下りＢＷＰを決定することは、
前記端末デバイスが現在活性化している第１の上りＢＷＰに基づいて、前記目標下りＢＷＰを決定することを含む
ことを特徴とする請求項１に記載のランダムアクセスのための方法。
【請求項３】
前記端末デバイスが現在活性化している第１の上りＢＷＰに基づいて、前記目標下りＢＷＰを決定することは、
前記端末デバイスが前記第１の上りＢＷＰ及び第１のマッピング関係に基づいて、前記目標下りＢＷＰを決定することを含み、
前記第１のマッピング関係が、前記第１の上りＢＷＰがマッピングされる下りＢＷＰを決定する
ことを特徴とする請求項２に記載のランダムアクセスのための方法。
【請求項４】
前記端末デバイスが前記第１の上りＢＷＰ及び第１のマッピング関係に基づいて、前記目標下りＢＷＰを決定することは、
前記第１のマッピング関係に基づいて前記第１の上りＢＷＰがいずれかの下りＢＷＰにマッピングされないと決定する場合、前記端末デバイスが初期下りＢＷＰを前記目標下りＢＷＰとして決定することを含む
ことを特徴とする請求項３に記載のランダムアクセスのための方法。
【請求項５】
前記端末デバイスが前記第１の上りＢＷＰ及び第１のマッピング関係に基づいて、前記目標下りＢＷＰを決定することは、
前記第１のマッピング関係に基づいて前記第１の上りＢＷＰが第１の下りＢＷＰにマッピングされると決定し、前記第１の下りＢＷＰが前記端末デバイスにより現在活性化している下りＢＷＰでない場合、前記端末デバイスが前記第１の下りＢＷＰを前記目標下りＢＷＰとして決定することを含む
ことを特徴とする請求項３に記載のランダムアクセスのための方法。
【請求項６】
前記端末デバイスが前記第１の上りＢＷＰ及び第１のマッピング関係に基づいて、前記目標下りＢＷＰを決定することは、
前記第１のマッピング関係に基づいて前記第１の上りＢＷＰが第１の下りＢＷＰにマッピングされると決定し、前記第１の下りＢＷＰが前記端末デバイスにより現在活性化している下りＢＷＰでない場合、前記端末デバイスが初期下りＢＷＰを前記目標下りＢＷＰとして決定することを含む
ことを特徴とする請求項３に記載のランダムアクセスのための方法。
【請求項７】
前記端末デバイスがランダムアクセスのための目標上り帯域幅パートＢＷＰ及び／又は目標下りＢＷＰを決定することは、
前記端末デバイスが現在活性化している下りＢＷＰを前記目標下りＢＷＰとして決定することを含む
ことを特徴とする請求項１〜３のいずれか１項に記載のランダムアクセスのための方法。
【請求項８】
前記端末デバイスがランダムアクセスのための目標上り帯域幅パートＢＷＰ及び／又は目標下りＢＷＰを決定することは、
前記端末デバイスが現在活性化している上りＢＷＰ又は初期上りＢＷＰを前記目標上りＢＷＰとして決定することを含む
ことを特徴とする請求項１〜７のいずれか１項に記載のランダムアクセスのための方法。
【請求項９】
前記方法は、さらに、
前記端末デバイスがネットワークデバイスにより送信された第１の切替指令を受信することと、
前記端末デバイスが第１のマッピング関係に基づいて、第２の上りＢＷＰがマッピングされる下りＢＷＰを決定することと、
前記端末デバイスが現在活性化している前記第１の上りＢＷＰを前記第２の上りＢＷＰに切り替え、現在活性化している下りＢＷＰを前記第２の上りＢＷＰがマッピングされる下りＢＷＰに切り替えることとを含み、
前記第１の切替指令は、前記端末デバイスが現在活性化している第１の上りＢＷＰを前記第２の上りＢＷＰに切り替えるように指示する
ことを特徴とする請求項１〜８のいずれか１項に記載のランダムアクセスのための方法。
【請求項１０】
前記方法は、さらに、
前記端末デバイスがネットワークデバイスにより送信された第２の切替指令を受信することと、
前記端末デバイスが第１のマッピング関係に基づいて、第２の下りＢＷＰがマッピングされる上りＢＷＰを決定することと、
前記端末デバイスが現在活性化している前記第１の下りＢＷＰを前記第２の下りＢＷＰに切り替え、現在活性化している上りＢＷＰを前記第２の下りＢＷＰがマッピングされる上りＢＷＰに切り替えることとを含み、
前記第２の切替指令は、現在活性化している第１の下りＢＷＰを前記第２の下りＢＷＰに切り替えるように指示する
ことを特徴とする請求項１〜９のいずれか１項に記載のランダムアクセスのための方法。
【請求項１１】
前記第１のマッピング関係は、上りＢＷＰと下りＢＷＰとのマッピング関係である
ことを特徴とする請求項３〜１０のいずれか１項に記載のランダムアクセスのための方法。
【請求項１２】
前記第１のマッピング関係は、上りＢＷＰのＢＷＰインデックスと下りＢＷＰのＢＷＰインデックスとのマッピング関係である
ことを特徴とする請求項１１に記載のランダムアクセスのための方法。
【請求項１３】
上りＢＷＰの数と下りＢＷＰの数とが等しい場合、上りＢＷＰのＢＷＰインデックスＫが下りＢＷＰのＢＷＰインデックスｋにマッピングされ、Ｋとｋが整数であり、Ｋ＝ｋである
ことを特徴とする請求項１２に記載のランダムアクセスのための方法。
【請求項１４】
上りＢＷＰの数が下りＢＷＰの数よりも大きい場合、上りＢＷＰのＢＷＰインデックスＫが下りＢＷＰのＢＷＰインデックスｋにマッピングされ、Ｋとｋが整数であり、ｋがＭをＫでモジュロ演算する結果であり、Ｍがネットワークデバイスにより構成された下りＢＷＰの数である
ことを特徴とする請求項１２に記載のランダムアクセスのための方法。
【請求項１５】
前記第１のマッピング関係は、上りＢＷＰ上に構成されたランダムアクセスリソースと下りＢＷＰとのマッピング関係である
ことを特徴とする請求項３〜１０のいずれか１項に記載のランダムアクセスのための方法。
【請求項１６】
前記第１のマッピング関係は、ランダムアクセスリソースと下りＢＷＰのＢＷＰインデックスとのマッピング関係である
ことを特徴とする請求項１５に記載のランダムアクセスのための方法。
【請求項１７】
前記端末デバイスが前記目標上り及び／又は下りＢＷＰにおいて、競合ランダムアクセスを開始することは、
前記端末デバイスが前記目標上りＢＷＰにおいて、前記目標上りＢＷＰに構成されたランダムアクセスリソースを利用して、ランダムアクセスプリアンブルを送信することと、
前記端末デバイスが前記目標下りＢＷＰにおいて、ネットワークデバイスにより送信されたランダムアクセス応答ＲＡＲを受信することとを含む
ことを特徴とする請求項１〜１６のいずれか１項に記載のランダムアクセスのための方法。
【請求項１８】
前記方法は、さらに、
前記端末デバイスにより現在活性化している下りＢＷＰが前記目標下りＢＷＰと異なる場合、前記端末デバイスが現在活性化している下りＢＷＰを前記目標下りＢＷＰに切り替えることを含む
ことを特徴とする請求項１〜１７のいずれか１項に記載のランダムアクセスのための方法。
【請求項１９】
前記端末デバイスがネットワークデバイスにより送信された切替指令を受信することと、
前記端末デバイスが第１のマッピング関係に基づいて、前記端末デバイスにより現在活性化している上りＢＷＰ及び下りＢＷＰを同時に切り替えることとを含み、
前記切替指令は、現在活性化している第１の帯域幅パートＢＷＰを第２のＢＷＰに切り替えるように指示し、前記第１のＢＷＰと前記第２のＢＷＰとが上りＢＷＰ又は下りＢＷＰであり、
前記第１のマッピング関係は、前記第２のＢＷＰがマッピングされるＢＷＰを決定するために用いられる
ことを特徴とするランダムアクセスのための方法。
【請求項２０】
前記端末デバイスが第１のマッピング関係に基づいて、前記端末デバイスにより現在活性化している上りＢＷＰ及び下りＢＷＰを同時に切り替えることは、
前記第１のＢＷＰと前記第２のＢＷＰとが上りＢＷＰである場合、前記端末デバイスが現在活性化している上りＢＷＰを前記第１のＢＷＰから前記第２のＢＷＰに切り替え、現在活性化している下りＢＷＰを前記第２のＢＷＰがマッピングされる下りＢＷＰに切り替えることを含む
ことを特徴とする請求項１９に記載のランダムアクセスのための方法。
【請求項２１】
前記端末デバイスが第１のマッピング関係に基づいて、前記端末デバイスにより現在活性化している上りＢＷＰ及び下りＢＷＰを同時に切り替えることは、
前記第１のＢＷＰと前記第２のＢＷＰとが下りＢＷＰである場合、前記端末デバイスが現在活性化している下りＢＷＰを前記第１のＢＷＰから前記第２のＢＷＰに切り替え、現在活性化している上りＢＷＰを前記第２のＢＷＰがマッピングされる上りＢＷＰに切り替えることを含む
ことを特徴とする請求項１９に記載のランダムアクセスのための方法。
【請求項２２】
前記第１のマッピング関係は、上りＢＷＰと下りＢＷＰとのマッピング関係である
ことを特徴とする請求項１９〜２１のいずれか１項に記載のランダムアクセスのための方法。
【請求項２３】
前記第１のマッピング関係は、上りＢＷＰのＢＷＰインデックスと下りＢＷＰのＢＷＰインデックスとのマッピング関係である
ことを特徴とする請求項２２に記載のランダムアクセスのための方法。
【請求項２４】
上りＢＷＰの数と下りＢＷＰの数とが等しい場合、上りＢＷＰのＢＷＰインデックスＫが下りＢＷＰのＢＷＰインデックスｋにマッピングされ、Ｋとｋが整数であり、Ｋ＝ｋである
ことを特徴とする請求項２３に記載のランダムアクセスのための方法。
【請求項２５】
上りＢＷＰの数が下りＢＷＰの数よりも大きい場合、上りＢＷＰのＢＷＰインデックスＫが下りＢＷＰのＢＷＰインデックスｋにマッピングされ、Ｋとｋが整数であり、ｋがＭをＫでモジュロ演算する結果であり、Ｍがネットワークデバイスにより構成された下りＢＷＰの数である
ことを特徴とする請求項２３に記載のランダムアクセスのための方法。
【請求項２６】
前記第１のマッピング関係は、上りＢＷＰ上に構成されたランダムアクセスリソースと下りＢＷＰとのマッピング関係である
ことを特徴とする請求項１９〜２１のいずれか１項に記載のランダムアクセスのための方法。
【請求項２７】
前記第１のマッピング関係は、ランダムアクセスリソースと下りＢＷＰのＢＷＰインデックスとのマッピング関係である
ことを特徴とする請求項２６に記載のランダムアクセスのための方法。
【請求項２８】
決定モジュールと、通信モジュールとを備えるランダムアクセスのためのデバイスであって、
前記決定モジュールは、ランダムアクセスのための目標上り帯域幅パートＢＷＰ及び／又は目標下りＢＷＰを決定するように構成され、
前記通信モジュールは、前記目標上り及び／又は下りＢＷＰにおいて、競合ランダムアクセスを開始するように構成される
ことを特徴とするランダムアクセスのためのデバイス。
【請求項２９】
前記決定モジュールは、さらに、
現在活性化している第１の上りＢＷＰに基づいて、前記目標下りＢＷＰを決定するように構成される
ことを特徴とする請求項２８に記載のランダムアクセスのためのデバイス。
【請求項３０】
前記決定モジュールは、さらに、
前記第１の上りＢＷＰ及び第１のマッピング関係に基づいて、前記目標下りＢＷＰを決定するように構成され、前記第１のマッピング関係が、前記第１の上りＢＷＰがマッピングされる下りＢＷＰを決定するために用いられる
ことを特徴とする請求項２９に記載のランダムアクセスのためのデバイス。
【請求項３１】
前記決定モジュールは、さらに、
前記第１のマッピング関係に基づいて前記第１の上りＢＷＰがいずれかの下りＢＷＰにマッピングされないと決定する場合、初期下りＢＷＰを前記目標下りＢＷＰとして決定するように構成される
ことを特徴とする請求項３０に記載のランダムアクセスのためのデバイス。
【請求項３２】
前記決定モジュールは、さらに、
前記第１のマッピング関係に基づいて前記第１の上りＢＷＰが第１の下りＢＷＰにマッピングされると決定し、前記第１の下りＢＷＰが前記デバイスにより現在活性化している下りＢＷＰでない場合、前記第１の下りＢＷＰを前記目標下りＢＷＰとして決定するように構成される
ことを特徴とする請求項３０に記載のランダムアクセスのためのデバイス。
【請求項３３】
前記決定モジュールは、さらに、
前記第１のマッピング関係に基づいて前記第１の上りＢＷＰが第１の下りＢＷＰにマッピングされると決定し、前記第１の下りＢＷＰが前記デバイスにより現在活性化している下りＢＷＰでない場合、初期下りＢＷＰを前記目標下りＢＷＰとして決定するように構成される
ことを特徴とする請求項３０に記載のランダムアクセスのためのデバイス。
【請求項３４】
前記決定モジュールは、さらに、
現在活性化している下りＢＷＰを前記目標下りＢＷＰとして決定するように構成される
ことを特徴とする請求項２８〜３０のいずれか１項に記載のランダムアクセスのためのデバイス。
【請求項３５】
前記決定モジュールは、さらに、
現在活性化している上りＢＷＰ又は初期上りＢＷＰを前記目標上りＢＷＰとして決定するように構成される
ことを特徴とする請求項２８〜３４のいずれか１項に記載のランダムアクセスのためのデバイス。
【請求項３６】
前記通信モジュールは、さらに、
ネットワークデバイスにより送信された第１の切替指令を受信するように構成され、前記第１の切替指令は、前記デバイスが現在活性化している第１の上りＢＷＰを第２の上りＢＷＰに切り替えるように指示し、
前記決定モジュールは、さらに、根据第１のマッピング関係に基づいて、前記第２の上りＢＷＰがマッピングされる下りＢＷＰを決定するように構成され、
前記デバイスは、さらに、切替モジュールを含み、
前記切替モジュールは、現在活性化している前記第１の上りＢＷＰを前記第２の上りＢＷＰに切り替え、現在活性化している下りＢＷＰを前記第２の上りＢＷＰがマッピングされる下りＢＷＰに切り替えるように構成される
ことを特徴とする請求項２８〜３５のいずれか１項に記載のランダムアクセスのためのデバイス。
【請求項３７】
前記通信モジュールは、さらに、
ネットワークデバイスにより送信された第２の切替指令を受信するように構成され、前記第２の切替指令は、現在活性化している第１の下りＢＷＰを第２の下りＢＷＰに切り替えるように指示し、
前記決定モジュールは、さらに、第１のマッピング関係に基づいて、前記第２の下りＢＷＰがマッピングされる上りＢＷＰを決定するように構成され、
前記デバイスは、さらに、切替モジュールを含み、
前記切替モジュールは、現在活性化している前記第１の下りＢＷＰを前記第２の下りＢＷＰに切り替え、現在活性化している上りＢＷＰを前記第２の下りＢＷＰがマッピングされる上りＢＷＰに切り替えるように構成される
ことを特徴とする請求項２８〜３６のいずれか１項に記載のランダムアクセスのためのデバイス。
【請求項３８】
前記第１のマッピング関係は、上りＢＷＰと下りＢＷＰとのマッピング関係である
ことを特徴とする請求項３０〜３７のいずれか１項に記載のランダムアクセスのためのデバイス。
【請求項３９】
前記第１のマッピング関係は、上りＢＷＰのＢＷＰインデックスと下りＢＷＰのＢＷＰインデックスとのマッピング関係である
ことを特徴とする請求項３８に記載のランダムアクセスのためのデバイス。
【請求項４０】
上りＢＷＰの数と下りＢＷＰの数とが等しい場合、上りＢＷＰのＢＷＰインデックスＫが下りＢＷＰのＢＷＰインデックスｋにマッピングされ、Ｋとｋが整数であり、Ｋ＝ｋである
ことを特徴とする請求項３９に記載のランダムアクセスのためのデバイス。
【請求項４１】
上りＢＷＰの数が下りＢＷＰの数よりも大きい場合、上りＢＷＰのＢＷＰインデックスＫが下りＢＷＰのＢＷＰインデックスｋにマッピングされ、Ｋとｋが整数であり、ｋがＭをＫでモジュロ演算する結果であり、Ｍがネットワークデバイスにより構成された下りＢＷＰの数である
ことを特徴とする請求項３９に記載のランダムアクセスのためのデバイス。
【請求項４２】
前記第１のマッピング関係は、上りＢＷＰ上に構成されたランダムアクセスリソースと下りＢＷＰとのマッピング関係である
ことを特徴とする請求項３０〜３７のいずれか１項に記載のランダムアクセスのためのデバイス。
【請求項４３】
前記第１のマッピング関係は、ランダムアクセスリソースと下りＢＷＰのＢＷＰインデックスとのマッピング関係である
ことを特徴とする請求項４２に記載のランダムアクセスのためのデバイス。
【請求項４４】
前記通信モジュールは、
前記目標上りＢＷＰにおいて、前記目標上りＢＷＰに構成されたランダムアクセスリソースを利用して、ランダムアクセスプリアンブルを送信し、
前記目標下りＢＷＰにおいて、ネットワークデバイスにより送信されたランダムアクセス応答ＲＡＲを受信するように構成される
ことを特徴とする請求項２８〜４３のいずれか１項に記載のランダムアクセスのためのデバイス。
【請求項４５】
前記デバイスは、さらに、切替モジュールを含み、
切替モジュールは、前記デバイスにより現在活性化している下りＢＷＰが前記目標下りＢＷＰと異なる場合、現在活性化している下りＢＷＰを前記目標下りＢＷＰに切り替えるように構成される
ことを特徴とする請求項２８〜４４のいずれか１項に記載のランダムアクセスのためのデバイス。
【請求項４６】
通信モジュールと、切替モジュールとを備えるランダムアクセスのためのデバイスであって、
前記通信モジュールは、ネットワークデバイスにより送信された切替指令を受信するように構成され、前記切替指令は、現在活性化している第１の帯域幅パートＢＷＰを第２のＢＷＰに切り替えるように指示し、前記第１のＢＷＰと前記第２のＢＷＰとが上りＢＷＰ又は下りＢＷＰであり、
切替モジュールは、第１のマッピング関係に基づいて、前記デバイス現在活性化している上りＢＷＰ及び下りＢＷＰを切り替えるように構成され、前記第１のマッピング関係は、前記第２のＢＷＰがマッピングされるＢＷＰを決定するために用いられる
ことを特徴とするランダムアクセスのためのデバイス。
【請求項４７】
前記切替モジュールは、
前記第１のＢＷＰと前記第２のＢＷＰとが上りＢＷＰである場合、現在活性化している上りＢＷＰを前記第１のＢＷＰから前記第２のＢＷＰに切り替え、現在活性化している下りＢＷＰを前記第２のＢＷＰがマッピングされる下りＢＷＰに切り替えるように構成される
ことを特徴とする請求項４６に記載のランダムアクセスのためのデバイス。
【請求項４８】
前記切替モジュールは、
前記第１のＢＷＰと前記第２のＢＷＰとが下りＢＷＰである場合、現在活性化している下りＢＷＰを前記第１のＢＷＰから前記第２のＢＷＰに切り替え、現在活性化している上りＢＷＰを前記第２のＢＷＰがマッピングされる上りＢＷＰに切り替えるように構成される
ことを特徴とする請求項４６に記載のランダムアクセスのためのデバイス。
【請求項４９】
前記第１のマッピング関係は、上りＢＷＰと下りＢＷＰとのマッピング関係である
ことを特徴とする請求項４６〜４８のいずれか１項に記載のランダムアクセスのためのデバイス。
【請求項５０】
前記第１のマッピング関係は、上りＢＷＰのＢＷＰインデックスと下りＢＷＰのＢＷＰインデックスとのマッピング関係である
ことを特徴とする請求項４９に記載のランダムアクセスのためのデバイス。
【請求項５１】
上りＢＷＰの数と下りＢＷＰの数とが等しい場合、上りＢＷＰのＢＷＰインデックスＫが下りＢＷＰのＢＷＰインデックスｋにマッピングされ、Ｋとｋが整数であり、Ｋ＝ｋである
ことを特徴とする請求項５０に記載のランダムアクセスのためのデバイス。
【請求項５２】
上りＢＷＰの数が下りＢＷＰの数よりも大きい場合、上りＢＷＰのＢＷＰインデックスＫが下りＢＷＰのＢＷＰインデックスｋにマッピングされ、Ｋとｋが整数であり、ｋがＭをＫでモジュロ演算する結果であり、Ｍがネットワークデバイスにより構成された下りＢＷＰの数である
ことを特徴とする請求項５０に記載のランダムアクセスのためのデバイス。
【請求項５３】
前記第１のマッピング関係は、上りＢＷＰ上に構成されたランダムアクセスリソースと下りＢＷＰとのマッピング関係である
ことを特徴とする請求項４６〜４８のいずれか１項に記載のランダムアクセスのためのデバイス。
【請求項５４】
前記第１のマッピング関係は、ランダムアクセスリソースと下りＢＷＰのＢＷＰインデックスとのマッピング関係である
ことを特徴とする請求項５３に記載のランダムアクセスのためのデバイス。
【発明の詳細な説明】
【技術分野】
【０００１】
本願の実施例は、通信分野に関し、具体的に、ランダムアクセスのための方法及びデバイスに関する。
【背景技術】
【０００２】
５Ｇ新規ラジオ( Ｎｅｗ Ｒａｄｉｏ、ＮＲ )システムの議論において、ＮＲシステムによってサポートされるシステム帯域幅は、ロングタームエボリューション( Ｌｏｎｇ Ｔｅｒｍ Ｅｖｏｌｕｔｉｏｎ、ＬＴＥ )システムのシステム帯域幅よりもはるかに大きいと決定される。しかし、ある端末デバイスによっては、その能力に限界があり、システム帯域幅の全てをサポートすることができず、ＮＲシステムにおいて、帯域幅パート( Ｂａｎｄｗｉｄｔｈ Ｐａｒｔ、ＢＷＰ )という概念が導入され、各ＢＷＰの帯域幅は最大システム帯域幅以下である。
【０００３】
ネットワークデバイスは、端末デバイスに対して１以上の上りＢＷＰを構成するとともに、端末デバイスに対して１以上の下りＢＷＰを構成することができるが、１つの時刻に、最大で活性化された１つの下りＢＷＰと活性化された１つの上りＢＷＰしか構成することができない。
【０００４】
端末デバイスが現在活性化している上りＢＷＰでランダムアクセスを開始した後、ネットワークデバイスが現在活性化している下りＢＷＰでランダムアクセス応答( Ｒａｎｄｏｍ Ａｃｃｅｓｓ Ｒｅｓｐｏｎｓｅ、ＲＡＲ )を必ず送信するとは限らないため、ランダムアクセスをどのように行うかが課題である。
【発明の概要】
【０００５】
本願は、ランダムアクセス成功の確率を向上させることができるランダムアクセスのための方法及びデバイスを提供する。
【０００６】
第１の態様は、ランダムアクセスのための方法を提供し、端末デバイスがランダムアクセスのための目標上り帯域幅パートＢＷＰ及び／又は目標下りＢＷＰを決定することと、
前記端末デバイスが前記目標上り及び／又は下りＢＷＰにおいて、競合ランダムアクセスを開始することとを含む。
【０００７】
したがって、端末デバイスがランダムアクセスを行いたい場合に、ランダムアクセスのための目標上り帯域幅部分ＢＷＰ及び/又は目標下りＢＷＰを決定することができるので、端末デバイスがランダムアクセスのための上りＢＷＰ及び下りＢＷＰを、端末デバイスとネットワークデバイスとが合意できるＢＷＰのペアとすることができ、端末デバイスがＲＡＲの受信に成功する確率を高める上で有利となり、ランダムアクセスの成功確率を向上させることができる。
【０００８】
任意選択で、前記目標下りＢＷＰは、端末デバイスにより現在活性化している上りＢＷＰがマッピングされる下りＢＷＰ、又は、初期下りＢＷＰ、又は、現在活性化している下りＢＷＰであり、本願の実施例はこれに限定されない。
【０００９】
例えば、現在活性化している上りＢＷＰと下りＢＷＰとがマッピング関係を有するＢＷＰであれば、端末デバイスは、下りＢＷＰの切り替えを行わないことを決定してもよいし、当該現在活性化している下りＢＷＰが初期下りＢＷＰであれば、ＢＷＰの切り替えを行わなくてもよい。あるいは、現在活性化している上りＢＷＰが初期上りＢＷＰであり、現在活性化している下りＢＷＰが初期下りＢＷＰでない場合、当該端末デバイスは、現在活性化している下りＢＷＰを初期下りＢＷＰに切り替えてもよい。
【００１０】
任意選択で、前記目標上りＢＷＰは、初期上りＢＷＰ、又は、現在活性化している上りＢＷＰであり、本願の実施例はこれに限定されない。
【００１１】
例えば、現在活性化している上りＢＷＰと下りＢＷＰとがマッピング関係を有するＢＷＰであれば、端末デバイスは、上りＢＷＰの切り替えを行わないことを決定してもよいし、当該現在活性化している上りＢＷＰが初期上りＢＷＰであれば、その場合、ＢＷＰの切り替えを行わなくてもよい。あるいは、現在活性化している下りＢＷＰが初期下りＢＷＰであり、現在活性化している上りＢＷＰが初期上りＢＷＰでない場合、端末デバイスは、現在活性化している上りＢＷＰを初期上りＢＷＰに切り替えてもよい。
【００１２】
ある実現可能な方式において、前記端末デバイスがランダムアクセスのための目標上り帯域幅パートＢＷＰ及び／又は目標下りＢＷＰを決定することは、
前記端末デバイスが現在活性化している第１の上りＢＷＰに基づいて、前記目標下りＢＷＰを決定することを含む。
【００１３】
例えば、現在活性化されている上りＢＷＰがマッピングされる下りＢＷＰを、前記目標下りＢＷＰとして特定してもよく、又は、端末デバイスは、マッピング関係を有する上り下りＢＷＰのセットを目標の上りＢＷＰ及び目標の下りＢＷＰとして決定し、即ち、現在活性化されている上がり下がりＢＷＰを、マッピング関係を有する上がり下がりＢＷＰのセットに切り替えて、ランダムアクセスを開始してもよい。
【００１４】
ある実現可能な方式において、前記端末デバイスが現在活性化している第１の上りＢＷＰに基づいて、前記目標下りＢＷＰを決定することは、
前記端末デバイスが前記第１の上りＢＷＰ及び第１のマッピング関係に基づいて、前記目標下りＢＷＰを決定することを含み、ここで、前記第１のマッピング関係が、前記第１の上りＢＷＰがマッピングされる下りＢＷＰを決定する。
【００１５】
ある実現可能な方式において、前記端末デバイスが前記第１の上りＢＷＰ及び第１のマッピング関係に基づいて、前記目標下りＢＷＰを決定することは、
前記第１のマッピング関係に基づいて前記第１の上りＢＷＰがいずれかの下りＢＷＰにマッピングされないと決定する場合、前記端末デバイスが初期下りＢＷＰを前記目標下りＢＷＰとして決定することを含む。
【００１６】
ある実現可能な方式において、前記端末デバイスが前記第１の上りＢＷＰ及び第１のマッピング関係に基づいて、前記目標下りＢＷＰを決定することは、
前記第１のマッピング関係に基づいて前記第１の上りＢＷＰが第１の下りＢＷＰにマッピングされると決定し、前記第１の下りＢＷＰが前記端末デバイスにより現在活性化している下りＢＷＰでない場合、前記端末デバイスが前記第１の下りＢＷＰを前記目標下りＢＷＰとして決定することを含む。
【００１７】
ある実現可能な方式において、前記端末デバイスが前記第１の上りＢＷＰ及び第１のマッピング関係に基づいて、前記目標下りＢＷＰを決定することは、
前記第１のマッピング関係に基づいて前記第１の上りＢＷＰが第１の下りＢＷＰにマッピングされると決定し、前記第１の下りＢＷＰが前記端末デバイスにより現在活性化している下りＢＷＰでない場合、前記端末デバイスが初期下りＢＷＰを前記目標下りＢＷＰとして決定することを含む。
【００１８】
ある実現可能な方式において、前記端末デバイスがランダムアクセスのための目標上り帯域幅パートＢＷＰ及び／又は目標下りＢＷＰを決定することは、
前記端末デバイスが現在活性化している下りＢＷＰを前記目標下りＢＷＰとして決定することを含む。
【００１９】
ある実現可能な方式において、前記端末デバイスがランダムアクセスのための目標上り帯域幅パートＢＷＰ及び／又は目標下りＢＷＰを決定することは、
前記端末デバイスが現在活性化している上りＢＷＰ又は初期上りＢＷＰを前記目標上りＢＷＰとして決定することを含む。
【００２０】
ある実現可能な方式において、前記方法は、さらに、
前記端末デバイスがネットワークデバイスにより送信された第１の切替指令を受信することと、
前記端末デバイスが第１のマッピング関係に基づいて、前記第２の上りＢＷＰがマッピングされる下りＢＷＰを決定することと、
前記端末デバイスが現在活性化している前記第１の上りＢＷＰを前記第２の上りＢＷＰに切り替え、現在活性化している下りＢＷＰを前記第２の上りＢＷＰがマッピングされる下りＢＷＰに切り替えることとを含み、前記第１の切替指令は、前記端末デバイスが現在活性化している第１の上りＢＷＰを第２の上りＢＷＰに切り替えるように指示する。
【００２１】
ある実現可能な方式において、前記方法は、さらに、
前記端末デバイスがネットワークデバイスにより送信された第２の切替指令を受信することと、
前記端末デバイスが第１のマッピング関係に基づいて、前記第２の下りＢＷＰがマッピングされる上りＢＷＰを決定することと、
前記端末デバイスが現在活性化している前記第１の下りＢＷＰを前記第２の下りＢＷＰに切り替え、現在活性化している上りＢＷＰを前記第２の下りＢＷＰがマッピングされる上りＢＷＰに切り替えることとを含み、前記第２の切替指令は、現在活性化している第１の下りＢＷＰを第２の下りＢＷＰに切り替えるように指示する。
【００２２】
従って、端末デバイスは、ＢＷＰの切り替えを行う際に、同時に活性化する上りＢＷＰと下りＢＷＰとがマッピング関係を有するＢＷＰであることを保つように、この第１のマッピング関係に従って、上り下りＢＷＰの切り替えを同時に行うことができ、ＲＡＲの受信に成功する確率を向上させることができる。
【００２３】
ある実現可能な方式において、前記第１のマッピング関係は、上りＢＷＰと下りＢＷＰとのマッピング関係である。
【００２４】
ある実現可能な方式において、前記第１のマッピング関係は、上りＢＷＰのＢＷＰインデックスと下りＢＷＰのＢＷＰインデックスとのマッピング関係である。
【００２５】
ある実現可能な方式において、上りＢＷＰの数と下りＢＷＰの数とが等しい場合、上りＢＷＰのＢＷＰインデックスＫが下りＢＷＰのＢＷＰインデックスｋにマッピングされ、ここで、Ｋとｋが整数であり、且つＫ＝ｋである。
【００２６】
ある実現可能な方式において、上りＢＷＰの数が下りＢＷＰの数よりも大きい場合、上りＢＷＰのＢＷＰインデックスＫが下りＢＷＰのＢＷＰインデックスｋにマッピングされ、ここで、Ｋとｋが整数であり、且つｋがＭをＫでモジュロ演算する結果であり、Ｍがネットワークデバイスにより構成された下りＢＷＰの数である。
【００２７】
ある実現可能な方式において、前記第１のマッピング関係は、上りＢＷＰ上に構成されたランダムアクセスリソースと下りＢＷＰとのマッピング関係である。
【００２８】
ある実現可能な方式において、前記第１のマッピング関係は、ランダムアクセスリソースと下りＢＷＰのＢＷＰインデックスとのマッピング関係である。
【００２９】
ある実現可能な方式において、前記端末デバイスが前記目標上り及び／又は下りＢＷＰにおいて、競合ランダムアクセスを開始することは、
前記端末デバイスが前記目標上りＢＷＰにおいて、前記目標上りＢＷＰに構成されたランダムアクセスリソースを利用して、ランダムアクセスプリアンブルを送信することと、
前記端末デバイスが前記目標下りＢＷＰにおいて、ネットワークデバイスにより送信されたランダムアクセス応答ＲＡＲを受信することとを含む。
【００３０】
ある実現可能な方式において、前記方法は、さらに、
前記端末デバイスにより現在活性化している下りＢＷＰが前記目標下りＢＷＰと異なる場合、前記端末デバイスが現在活性化している下りＢＷＰを前記目標下りＢＷＰに切り替えることを含む。
【００３１】
第２の態様は、ランダムアクセスのための方法を提供し、前記方法は、さらに、
前記端末デバイスがネットワークデバイスにより送信された切替指令を受信することと、
前記端末デバイスが第１のマッピング関係に基づいて、前記端末デバイスにより現在活性化している上りＢＷＰ及び下りＢＷＰを同時に切り替えることとを含み、ここで、前記切替指令は、現在活性化している第１の帯域幅パートＢＷＰを第２のＢＷＰに切り替えるように指示し、前記第１のＢＷＰと前記第２のＢＷＰとが上りＢＷＰ又は下りＢＷＰであり、前記第１のマッピング関係は、前記第２のＢＷＰがマッピングされるＢＷＰを決定するために用いられる。
【００３２】
従って、端末デバイスは、ＢＷＰの切り替えを行う際に、同時に活性化する上りＢＷＰと下りＢＷＰとがマッピング関係を有するＢＷＰであることを保つように、この第１のマッピング関係に従って、上り下りＢＷＰの切り替えを同時に行うことができ、ＲＡＲの受信に成功する確率を向上させることができる。
【００３３】
ある実現可能な方式において、前記端末デバイスが第１のマッピング関係に基づいて、前記端末デバイスにより現在活性化している上りＢＷＰ及び下りＢＷＰを同時に切り替えることは、
前記第１のＢＷＰと前記第２のＢＷＰとが上りＢＷＰである場合、前記端末デバイスが現在活性化している上りＢＷＰを前記第１のＢＷＰから前記第２のＢＷＰに切り替え、現在活性化している下りＢＷＰを前記第２のＢＷＰがマッピングされる下りＢＷＰに切り替えることを含む。
【００３４】
ある実現可能な方式において、前記端末デバイスが第１のマッピング関係に基づいて、前記端末デバイスにより現在活性化している上りＢＷＰ及び下りＢＷＰを同時に切り替えることは、
前記第１のＢＷＰと前記第２のＢＷＰとが下りＢＷＰである場合、前記端末デバイスが現在活性化している下りＢＷＰを前記第１のＢＷＰから前記第２のＢＷＰに切り替え、現在活性化している上りＢＷＰを前記第２のＢＷＰがマッピングされる上りＢＷＰに切り替えることを含む。
【００３５】
ある実現可能な方式において、前記第１のマッピング関係は、上りＢＷＰと下りＢＷＰとのマッピング関係である。
【００３６】
ある実現可能な方式において、前記第１のマッピング関係は、上りＢＷＰのＢＷＰインデックスと下りＢＷＰのＢＷＰインデックスとのマッピング関係である。
【００３７】
ある実現可能な方式において、上りＢＷＰの数と下りＢＷＰの数とが等しい場合、上りＢＷＰのＢＷＰインデックスＫが下りＢＷＰのＢＷＰインデックスｋにマッピングされ、ここで、Ｋとｋが整数であり、且つＫ＝ｋである。
【００３８】
ある実現可能な方式において、上りＢＷＰの数が下りＢＷＰの数よりも大きい場合、上りＢＷＰのＢＷＰインデックスＫが下りＢＷＰのＢＷＰインデックスｋにマッピングされ、ここで、Ｋとｋが整数であり、且つｋがＭをＫでモジュロ演算する結果であり、Ｍがネットワークデバイスにより構成された下りＢＷＰの数である。
【００３９】
ある実現可能な方式において、前記第１のマッピング関係は、上りＢＷＰ上に構成されたランダムアクセスリソースと下りＢＷＰとのマッピング関係である。
【００４０】
ある実現可能な方式において、前記第１のマッピング関係は、ランダムアクセスリソースと下りＢＷＰのＢＷＰインデックスとのマッピング関係である。
【００４１】
第３の態様では、上記の第１の態様または第１の態様の任意の可能な実装における方法を実行するためのランダムアクセスのためのデバイスが提供される。具体的に、このデバイスは、上記の第１の態様または第１の態様の任意の可能な実施態様における方法を実行するためのユニットを含む。
【００４２】
第４の態様は、メモリと、プロセッサと、入力インターフェースと、出力インターフェースとを有するランダムアクセスのためのデバイスを提供する。ここで、メモリ、プロセッサ、入力インターフェース、出力インターフェースは、バスシステムを介して接続される。該メモリは、命令を記憶するために使用され、プロセッサは、メモリに記憶された命令を実行して、第１の態様または第１の態様の任意の可能な実装形態で上述の方法を実行するために使用される。
【００４３】
第５の態様は、上記の第２の態様または第２の態様の任意の可能な実装における方法を実行するためのランダムアクセスのためのデバイスを提供する。具体的に、このデバイスは、上記の第２の態様または第２の態様の任意の可能な実施態様における方法を実行するためのユニットを含む。
【００４４】
第６の態様は、メモリと、プロセッサと、入力インターフェースと、出力インターフェースとを有するランダムアクセスのためのデバイスを提供する。ここで、メモリ、プロセッサ、入力インターフェース、出力インターフェースは、バスシステムを介して接続される。該メモリは、命令を記憶するために使用され、プロセッサは、メモリに記憶された命令を実行して、第２の態様または第２の態様の任意の可能な実装形態で上述の方法を実行するために使用される。
【００４５】
第７の態様は、上記の第１の態様または第１の態様の可能な実装形態のいずれかを実行するための方法を実行するためのコンピュータソフトウェア命令を記憶するためのコンピュータ記憶媒体を提供し、上記の態様を実行するように設計されたプログラムを含む。
【００４６】
第８の態様は、命令を備えるコンピュータプログラム製品を提供し、コンピュータ上で実行されると、コンピュータに、上記の第１の態様または第１の態様の任意の実施態様における方法を実行させる。 
第９の態様は、上記の第２の態様または第２の態様の可能な実装のいずれかを実行するための方法を実行するためのコンピュータソフトウェア命令を記憶するためのコンピュータ記憶媒体を提供し、上記の態様を実行するように設計されたプログラムを含む。
【００４７】
第１０の態様は、命令を備えるコンピュータプログラム製品を提供し、コンピュータ上で実行されると、コンピュータに、上述の第２の態様または第２の態様の任意の実施態様における方法を実行させる。
【図面の簡単な説明】
【００４８】
【図１】本願の実施例における応用シーンの模式図である。
【図２】本願の実施例におけるランダムアクセスのための方法のフローチャートである。
【図３】本願の実施例における第１のマッピング関係の例の模式図である。
【図４】本願の実施例における第１のマッピング関係の他の例を模式図である。
【図５】本願の他の実施例におけるランダムアクセスのための方法のフローチャートである。
【図６】本願の実施例におけるランダムアクセスのためのデバイスのブロック図である。
【図７】本願の他の実施例におけるランダムアクセスのためのデバイスのブロック図である。
【図８】本願の実施例におけるランダムアクセスのためのデバイスのブロック図である。
【図９】本願の他の実施例におけるランダムアクセスのためのデバイスのブロック図である。
【発明を実施するための形態】
【００４９】
以下、本願の実施の形態における技術的手段について、本願の実施の形態における図面を参照して説明する。
【００５０】
本願の実施例の技術的思想は、例えば、ロングタームエボリューション( Ｌｏｎｇ Ｔｅｒｍ Ｅｖｏｌｕｔｉｏｎ、略称「ＬＴＥ」)システム、ＬＴＥ周波数分割複信( Ｆｒｅｑｕｅｎｃｙ Ｄｉｖｉｓｉｏｎ Ｄｕｐｌｅｘ、略称「ＦＤＤ」)システム、ＬＴＥ時分割腹心（ Ｔｉｍｅ  Ｄｉｖｉｓｉｏｎ  Ｄｕｐｌｅｘ、略称「ＴＤＤ」)、ユニバーサル移動体通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ、略称「ＵＭＴＳ」)、グローバル相互接続マイクロ波アクセス( Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ、略称「ＷｉＭＡＸ」)通信システム、又は将来の５Ｇシステム等の様々な通信システムに適用可能である。
【００５１】
図１は、本願の実施例が適用される無線通信システム１００を示す。無線通信システム１００は、ネットワークデバイス１１０を含み得る。ネットワークデバイス１００は、端末デバイスと通信する装置であってもよい。ネットワークデバイス１００は、特定の地理的エリアに通信カバレッジを提供し得、カバレッジエリア内に配置されたＵＥなどの端末デバイスと通信し得る。任意選択で、ネットワークデバイス１００は、ＬＴＥシステムにおける発展型基地局( Ｅｖｏｌｕｔｉｏｎａｌ Ｎｏｄｅ Ｂ、ｅＮＢ、又はｅＮｏｄｅＢ )、またはクラウド無線アクセスネットワーク( Ｃｌｏｕｄ Ｒａｄｉｏ Ａｃｃｅｓｓ Ｎｅｔｗｏｒｋ、ＣＲＡＮ )における無線コントローラであってもよく、またはネットワークデバイスは、中継局、アクセスポイント、車載装置、ウェアラブル装置、将来の５Ｇネットワークにおけるネットワーク側装置、または将来の公衆地上モバイルネットワーク( Ｐｕｂｌｉｃ Ｌａｎｄ Ｍｏｂｉｌｅ Ｎｅｔｗｏｒｋ、ＰＬＭＮ )におけるネットワークデバイスなどであってもよい。
【００５２】
無線通信システム１００は、ネットワークデバイス１１０のカバレージ内に配置された少なくとも１つの端末デバイス１２０をさらに含む。端末デバイス１２０は、移動型であってもよいし、固定型であってもよい。任意選択で、端末デバイス１２０は、アクセス端末、ユーザ機器( Ｕｓｅｒ Ｅｑｕｉｐｍｅｎｔ、ＵＥ )、ユーザ装置、ユーザ局、移動局、モバイル、リモート局、リモート端末、モバイル機器、ユーザ端末、無線通信機器、ユーザエージェント、またはユーザ装置を指し得る。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来開発されるPLMNにおける端末デバイスなどであり得る。
【００５３】
任意選択で、５Ｇシステム又はネットワークは、新たなラジオ( Ｎｅｗ Ｒａｄｉｏ、ＮＲ )システム又はネットワークと呼ばれることもある。
【００５４】
任意選択で、無線通信システム１００は、ネットワークコントローラ、モビリティ管理エンティティなどの他のネットワークエンティティをさらに含むことができ、本願の実施例はこれに限定されない。
【００５５】
図１は、１つのネットワークデバイス及び２つの端末デバイスを例示的に示し、任意選択で、無線通信システム１００は、複数のネットワークデバイスを含み、各ネットワークデバイスのカバレージ内に他の数の端末デバイスを含んでもよく、本願の実施例は、これに限定されない。
【００５６】
ランダムアクセス技術は、移動通信システムにおける端末デバイスとネットワークデバイスとの通信の重要なものである。無線セルラネットワーク内の端末デバイスは、ランダムアクセスプロセスによりネットワーク側に接続要求を開始することができる。
【００５７】
理解を容易にするため、ランダムアクセスプロセスを簡単に紹介する。ランダムアクセスプロセスは、主に以下のステップを含む。
【００５８】
Ｓ１において、まず、ランダムアクセスプリアンブル( ｒａｎｄｏｍ ａｃｃｅｓｓ ｐｒｅａｍｂｌｅ )を送信する。主にネットワークデバイスが端末デバイスの伝送遅延を正しく推定でき、複数の端末デバイスが同時にアクセス要求を開始する競合問題を解決するために用いられ、このランダムアクセスプリアンブルがＭｓｇ１ともいう。
【００５９】
Ｓ２において、ネットワークデバイスは、端末デバイスにランダムアクセス応答( Ｒａｎｄｏｍ Ａｃｃｅｓｓ Ｒｅｓｐｏｎｓｅ、ＲＡＲ )を送信し、このＲＡＲには、上り同期に必要な伝送遅延と、現在のシステムのアクセスの過負荷状態が含まれる。また、ネットワークデバイスは、端末デバイスに割り当てられた上りリソース位置情報を端末デバイスにフィードバックすることもできる。
【００６０】
Ｓ３において、端末デバイスは、指定された上りリソース上でランダムアクセスイベントに対応するメッセージと、端末デバイスのデバイス識別子とを送信する。
【００６１】
Ｓ４において、ネットワークデバイスは、衝突解決情報を端末デバイスにフィードバックする。
【００６２】
図２は、本願の実施例におけるランダムアクセスのための方法２００の概略的なフローチャートであり、図２に示すように、方法２００は、通信システム内の端末デバイスによって実行され、以下のステップを含み、
Ｓ２１０において、端末デバイスがランダムアクセスのための目標上り帯域幅パートＢＷＰ及び／又は目標下りＢＷＰを決定し、
Ｓ２２０において、前記端末デバイスが前記目標上り及び／又は下りＢＷＰにおいて、競合ランダムアクセスを開始する。
【００６３】
本発明の実施例において、端末デバイスがランダムアクセスを開始しようとする場合、ランダムアクセスのための目標上り帯域幅パートＢＷＰ及び/又は目標下りＢＷＰを決定することができ、任意選択的に、端末デバイスのランダムアクセスのための上りＢＷＰ及び下りＢＷＰは、端末デバイスとネットワークデバイスとが合意できるＢＷＰのペアとすることができるので、端末デバイスが、ある上りＢＷＰに配置されたランダムアクセスリソース(すなわち、物理ランダムアクセスチャネル( Ｐｈｙｓｉｃａｌ Ｒａｎｄｏｍ Ａｃｃｅｓｓ Ｃｈａｎｎｅｌ、ＰＲＡＣＨ )リソース)を通じてランダムアクセスプリアンブルを送信するとき、ネットワークデバイスは、対応する下りＢＷＰ上でＲＡＲを返信することができるので、端末デバイスは、対応する下りＢＷＰ上でＲＡＲを受信することができるので、端末デバイスがＲＡＲを成功的に受信する電力を増加させることができ、さらに、ランダムアクセスが成功する確率を向上させることができる。
【００６４】
任意選択で、いくつかの実施例では、上りＢＷＰと下りＢＷＰは、マッピング関係にあり得、したがって、端末デバイスは、現在活性化している上りＢＷＰに応じてランダムアクセスのための目標下りＢＷＰを決定し得、例えば、現在活性化している上りＢＷＰがマッピングする下りＢＷＰを目標下りＢＷＰとして決定し、あるいは、端末デバイスは、マッピング関係を有する上り下りＢＷＰのセットを新たに目標の上りＢＷＰ及び目標の下りＢＷＰとして決定し、即ち、現在活性化している上り下りＢＷＰを、マッピング関係を有する上り下りＢＷＰのセットに切り替えて、ランダムアクセスを開始してもよい。
【００６５】
例えば、前記端末デバイスが現在活性化している上りＢＷＰが上りＢＷＰ１であり、現在活性化している下りＢＷＰが下りＢＷＰ０であり、該上りＢＷＰ１がマッピングする下りＢＷＰが下りＢＷＰ１である場合、即ち、現在活性化している上りＢＷＰと下りＢＷＰとがマッピング関係がない場合、該端末デバイスは、現在活性化している下りＢＷＰを下りＢＷＰ１に切り替えてからランダムアクセスを開始してもよいし、又は、現在活性化している上りＢＷＰを上りＢＷＰ２に切り替えてから現在活性化している下りＢＷＰを全て下りＢＷＰ２に切り替えてからランダムアクセスを開始してもよく、ここで、該上りＢＷＰ２と下りＢＷＰ２とがマッピング関係を有するＢＷＰである。
【００６６】
任意選択で、いくつかの実施例において、前記目標下りＢＷＰは、端末デバイスが現在活性化している上りＢＷＰがマッピングする下りＢＷＰ、又は、初期下りＢＷＰ、又は、現在活性化している下りＢＷＰであっても良く、この実施例はこれに限定されない。
【００６７】
例えば、現在活性化している上りＢＷＰと下りＢＷＰとがマッピング関係を有するＢＷＰである場合、端末デバイスが下りＢＷＰ切替を行わなくても良く、又は、現在活性化している下りＢＷＰが初期（ｉｎｉｔｉａｌ）下りＢＷＰである場合、端末デバイスがＢＷＰ切替を行わなくても良く、又は、現在活性化している上りＢＷＰが初期上りＢＷＰであり、現在活性化している下りＢＷＰが初期下りＢＷＰでない場合、端末デバイスが現在活性化している下りＢＷＰ切替を初期下りＢＷＰに切り替えることができる。
【００６８】
任意選択で、いくつかの実施例において、前記目標上りＢＷＰは、初期上りＢＷＰ、又は、現在活性化している上りＢＷＰであっても良く、この実施例はこれに限定されない。
【００６９】
例えば、現在活性化している上りＢＷＰと下りＢＷＰとがマッピング関係を有するＢＷＰである場合、端末デバイスが上りＢＷＰの切替を行わなくても良く、又は、該現在活性化している上りＢＷＰが初期上りＢＷＰである場合、端末デバイスがＢＷＰ切替を行わなくても良い。又は、現在活性化している下りＢＷＰが初期下りＢＷＰであり、現在活性化している上りＢＷＰが初期上りＢＷＰでない場合、該端末デバイスは、現在活性化している上りＢＷＰ切替を初期上りＢＷＰに切り替えることができる。
【００７０】
以下、具体的な実施例を参照し、該目標下りＢＷＰの決定方式を説明する。
【００７１】
任意選択で、いくつかの実施例において、前記Ｓ２１０は、具体的に、
前記端末デバイスが現在活性化している第１の上りＢＷＰに基づいて、前記目標下りＢＷＰを決定することを含む。
【００７２】
例えば、現在活性化している上りＢＷＰが該第１の上りＢＷＰであり、該第１の上りＢＷＰが第１の下りＢＷＰにマッピングされる可能であれば、該端末デバイスは、該第１の下りＢＷＰを該目標下りＢＷＰとして決定し、更に、現在活性化している下りＢＷＰを該第１の下りＢＷＰに切り替えてもよく、この場合、同時に活性化された上りＢＷＰと下りＢＷＰとがマッピング関係を有し、端末デバイスは、該第１の上りＢＷＰにＭｓｇ１を送信し、該第１の上りＢＷＰがマッピングされる第１の下りＢＷＰでＲＡＲを受信することができる。ネットワークデバイスは、この第１の上りＢＷＰでＭｓｇ１を受信すると、この第１の上りＢＷＰに対応する第１の下りＢＷＰでＲＡＲを送信することができ、すなわち、ＲＡＲを送信する下りＢＷＰについて、端末デバイスとネットワークデバイスとが合意させることができ、端末デバイスがＲＡＲを成功に受信する確率を向上させる上で有利である。
【００７３】
また、例えば、現在活性化している第１の上りＢＷＰが初期上りＢＷＰである場合、端末デバイスは、初期下りＢＷＰを該目標下りＢＷＰとして決定しても良いし、下りＢＷＰの切替を行わなくても良く、即ち、現在活性化している下りＢＷＰにおいてそのままランダムアクセスを行う。
【００７４】
なお、前記第１の上りＢＷＰに対応する第１の下りＢＷＰは、初期下りＢＷＰであっても良いし、非初期下りＢＷＰであっても良く、この実施例はこれに限定されない。
【００７５】
任意選択で、いくつかの実施例において、前記端末デバイスが現在活性化している第１の上りＢＷＰに基づいて、前記目標下りＢＷＰを決定することは、
前記端末デバイスが前記第１の上りＢＷＰ及び第１のマッピング関係に基づいて、前記目標下りＢＷＰを決定することを含み、ここで、前記第１のマッピング関係が、前記第１の上りＢＷＰがマッピングされる下りＢＷＰを決定する。
【００７６】
本願の実施例では、上りＢＷＰと下りＢＷＰは一定のマッピング関係を有してもよく、任意選択で、上りＢＷＰと下りＢＷＰのマッピング関係は、１対１でもよく、１対多でもよく、多対１でもよく、多対多でもよく、本願の実施例はこれに限定されない。
【００７７】
例えば、１つの下りＢＷＰが１つの上りＢＷＰに対応したり、１つの下りＢＷＰが複数の上りＢＷＰに対応したり、又は、一部の上りＢＷＰが何れの下りＢＷＰにも対応しなく、又は、一部の下りＢＷＰが何れの上りＢＷＰにも対応しない等、本願実施例はこれに限定されない。
【００７８】
任意選択で、本願の実施例において、前記第１のマッピング関係は、通信システムによって規定されてもよく、ネットワークデバイスによって構成されてもよく、または前記端末デバイスに予め設定されてもよく、本願の実施例はこれに限定されない。
【００７９】
本発明の実施例では、該第１のマッピング関係は、上りＢＷＰと下りＢＷＰのマッピング関係を特定するために使用されてもよく、即ち、該第１のマッピング関係から、ある上りＢＷＰがマッピングされる下りＢＷＰを決定し、又は、ある下りＢＷＰがマッピングされる上りＢＷＰを決定することができる。
【００８０】
任意選択で、具体的な実施例において、前記第１のマッピング関係は、上りＢＷＰと下りＢＷＰとのマッピング関係であり、即ち、第１のマッピング関係は、上りＢＷＰと下りＢＷＰとのマッピング関係を直接に指示する。
【００８１】
例えば、前記第１のマッピング関係は、上りＢＷＰの識別子と下りＢＷＰの識別子とのマッピング関係であってもよく、任意選択で、該ＢＷＰの識別子は、ＢＷＰインデックスであってもよく、或いは、該ＢＷＰを一意に識別できる他の識別情報であってもよく、本願実施例はこれに限定されない。
【００８２】
任意選択で、該第１のマッピング関係は、上りＢＷＰのＢＷＰインデックス（ｉｎｄｅｘ）と下りＢＷＰのＢＷＰインデックスとのマッピング関係である。
【００８３】
任意選択で、上りＢＷＰの数と下りＢＷＰの数とが等しい場合、上りＢＷＰのＢＷＰ Ｋが下りＢＷＰのＢＷＰ ｋにマッピングされ、ここで、Ｋとｋが整数であり、且つＫ＝ｋである。
【００８４】
例えば、上りＢＷＰ１は下りＢＷＰ１にマッピングされ、上りＢＷＰ２は下りＢＷＰ２にマッピングされるなどである。
【００８５】
任意選択で、上りＢＷＰの数と下りＢＷＰの数とが等しい場合、該第１のマッピング関係は、上りＢＷＰのＢＷＰ Ｋが下りＢＷＰのＢＷＰ ｋにマッピングされ、ここで、Ｋとｋが整数であり、Ｋ＝Ｍ−ｋ、ここで、Ｍが上りＢＷＰ又は下りＢＷＰの数である。
【００８６】
例えば、上りＢＷＰ １が下りＢＷＰ Ｍにマッピングされ、上りＢＷＰ ２が下りＢＷＰ Ｍ−１にマッピングされる等である。
【００８７】
任意選択で、上りＢＷＰの数が下りＢＷＰの数よりも大きい場合、上りＢＷＰのＢＷＰインデックスＫが下りＢＷＰのＢＷＰインデックスｋにマッピングされ、ここで、Ｋとｋが整数であり、且つｋがＭをＫでモジュロ演算する結果であり、Ｍがネットワークデバイスにより構成された下りＢＷＰの数である。
【００８８】
なお、ネットワークデバイスが構成する下りＢＷＰの数Ｍは、初期下りＢＷＰを含んでもよいし、含まなくてもよく、本願の実施例はこれに限定されない。初期下りＢＷＰが含まれていると、モジュロ演算された後、非初期上りＢＷＰが初期下りＢＷＰにマッピングされる可能性があり、初期下りＢＷＰを含まなければ、モジュロ演算された後、非初期上りＢＷＰは、初期下りＢＷＰにマッピングされない。
【００８９】
例えば、図３に示すように、上りＢＷＰが、ＢＷＰ０〜ＢＷＰ３と初期上りＢＷＰとを含み、下りＢＷＰが、ＢＷＰ０、ＢＷＰ１と初期下りＢＷＰとを含み、下りＢＷＰの数が２ (初期下りＢＷＰを含まない)である場合、上記マッピング規則に従い、上りＢＷＰ０は下りＢＷＰ０にマッピングされ、上りＢＷＰ１は下りＢＷＰ１にマッピングされ、上りＢＷＰ２は下りＢＷＰ０にマッピングされ、上りＢＷＰ３は下りＢＷＰ１にマッピングされてよい。任意選択で、初期上りＢＷＰは、初期下りＢＷＰにマッピングされてもよい。
【００９０】
また、例えば、上りＢＷＰが、ＢＷＰ１〜ＢＷＰ３と初期上りＢＷＰとを含み(初期下りＢＷＰのインデックスを０と記し)、下りＢＷＰが、ＢＷＰ１、ＢＷＰ２と初期下りＢＷＰとを含み、下りＢＷＰの数が３ (初期下りＢＷＰを含み、初期下りＢＷＰのインデックスを０と記している)である場合、上記マッピング規則に従い、上りＢＷＰ１は下りＢＷＰ１にマッピングされ、上りＢＷＰ２は下りＢＷＰ２にマッピングされ、上りＢＷＰ３は初期下りＢＷＰにマッピングされ、初期上りＢＷＰも初期下りＢＷＰにマッピングされてもよい。
【００９１】
任意選択で、いくつかの実施例において、前記第１のマッピング関係は、上りＢＷＰ上に構成されたランダムアクセスリソースと下りＢＷＰとのマッピング関係である。
【００９２】
したがって、端末デバイスは、現在活性化している上りＢＷＰに構成されたＰＲＡＣＨリソースからどの下りＢＷＰにマッピングするかを決定することができ、そのマッピングされる下りＢＷＰを目標下りＢＷＰとして決定することができるので、それに応じて、ネットワークデバイスは、端末デバイスがＭｓｇ１を送信するのに使用したＰＲＡＣＨリソースから、その第１のマッピング関係を参照し、そのＰＲＡＣＨリソースがマッピングされる下りＢＷＰにＲＡＲを送信することを決定することができるので、端末デバイスとネットワークデバイスとは、ＲＡＲを送信する下りＢＷＰを合意することができ、端末デバイスがＲＡＲを正常に受信する確率を向上させる上で有利となる。
【００９３】
任意選択で、前記第１のマッピング関係は、ランダムアクセスリソースと下りＢＷＰのＢＷＰインデックスとのマッピング関係である。
【００９４】
すなわち、ランダムアクセスリソースは、対応する上りＢＷＰを指示するために使用されてよく、従って、この第１のマッピング関係は、上りＢＷＰと下りＢＷＰとのマッピング関係を間接的に指示するために使用されてよい。
【００９５】
なお、以上では、上りＢＷＰと下りＢＷＰのマッピング関係は、例に過ぎず、上りＢＷＰと下りＢＷＰは、他のマッピング関係であってもよく、この第１のマッピング関係に基づき、上りＢＷＰがマッピングされる下りＢＷＰを決定し、又は、下りＢＷＰがマッピングされる上りＢＷＰを決定すればよく、本願実施例はこれに限定されない。
【００９６】
任意選択で、この第１のマッピング関係から、現在活性化している上りＢＷＰと現在活性化している下りＢＷＰとが対応していないこと、即ち、現在活性化している上り下りＢＷＰがマッピング関係を有する上りＢＷＰでないこと(ケース１と記す)、又は、現在活性化している上りＢＷＰがいずれの下りＢＷＰにも対応していないこと(ケース２と記す)を決定する場合、このケース２は、ケース１の１種と考えることもでき、便宜上、２種と記すことができ、この２種の場合には、端末デバイスとネットワークデバイスとで、どの下りＢＷＰでＲＡＲ伝送を行うかは、合意を達成する必要がある。
【００９７】
ケース１
任意選択で、いくつかの実施例において、前記端末デバイスが前記第１の上りＢＷＰ及び第１のマッピング関係に基づいて、前記目標下りＢＷＰを決定することは、
前記第１のマッピング関係に基づいて前記第１の上りＢＷＰが第１の下りＢＷＰにマッピングされると決定し、前記第１の下りＢＷＰが前記端末デバイスにより現在活性化している下りＢＷＰでない場合、前記端末デバイスが前記第１の下りＢＷＰを前記目標下りＢＷＰとして決定することを含む。
【００９８】
つまり、端末デバイスにより現在活性化している第１の下りＢＷＰが現在活性化している第１の上りＢＷＰがマッピングされる下りＢＷＰでない場合、該端末デバイスは、該第１の上りＢＷＰがマッピングされる下りＢＷＰを目標下りＢＷＰとして決定し、さらに、現在活性化している下りＢＷＰ切替を目標下りＢＷＰとして決定し、該第１の下りＢＷＰ及び外目標下りＢＷＰにおいてランダムアクセスを開始する。
【００９９】
これに対応して、ネットワークデバイスが第１の上りＢＷＰでＭｓｇ１を受信すると、端末デバイスがこの第１の下りＢＷＰでＲＡＲを受信するように、この第１の上りＢＷＰにマッピングされる第１の下りＢＷＰでＲＡＲを返信してもよい。
【０１００】
任意選択で、他の実施例において、前記端末デバイスが前記第１の上りＢＷＰ及び第１のマッピング関係に基づいて、前記目標下りＢＷＰを決定することは、
前記第１のマッピング関係に基づいて前記第１の上りＢＷＰが第１の下りＢＷＰにマッピングされると決定し、前記第１の下りＢＷＰが前記端末デバイスにより現在活性化している下りＢＷＰでない場合、前記端末デバイスが初期下りＢＷＰを前記目標下りＢＷＰとして決定することを含む。
【０１０１】
つまり、端末デバイスにより現在活性化している第１の下りＢＷＰが現在活性化している第１の上りＢＷＰがマッピングされる下りＢＷＰでない場合、該端末デバイスは、該初期下りＢＷＰを目標下りＢＷＰとして決定し、さらに、現在活性化している下りＢＷＰを該初期下りＢＷＰに切替し、該第１の上りＢＷＰ及び該初期下りＢＷＰにおいてランダムアクセスを行う。
【０１０２】
これに対応して、ネットワークデバイスが第１の上りＢＷＰでＭｓｇ１を受信すると、端末デバイスがＲＡＲをその初期下りＢＷＰで受信するように、初期下りＢＷＰでＲＡＲを返信することができる。
【０１０３】
任意選択で、いくつかの実施例において、該端末デバイスは、現在活性化している第１の上りＢＷＰを初期上りＢＷＰに切り替え、該初期上りＢＷＰ及び該目標下りＢＷＰにおいてランダムアクセスを開始し、この実施例はこれに限定されない。
【０１０４】
例えば、該第１のマッピング関係が図３に示すように、現在活性化している上りＢＷＰが上りＢＷＰ２であり、現在活性化している下りＢＷＰが下りＢＷＰ１であり、すなわち、上りＢＷＰと下りＢＷＰとはマッピング関係を有しない。
【０１０５】
この場合、端末デバイスは、現在活性化している下りＢＷＰ１を、該上りＢＷＰ２がマッピングされている下りＢＷＰ０に切り替え、こうして、切り替え後の下りＢＷＰ０と現在活性化している上りＢＷＰ２とはマッピング関係にあり、そして、端末デバイスは、該上りＢＷＰ２と下りＢＷＰ０とにランダムアクセスを行うことができ、こうして、ネットワークデバイスは、上りＢＷＰ２でＭｓｇ１を受信したとき、該上りＢＷＰ２がマッピングされている下りＢＷＰ０でＲＡＲを送信し、これにより、端末デバイスは、該下りＢＷＰ０でＲＡＲを受信することができる。
【０１０６】
又は、端末デバイスが、現在活性化している下りＢＷＰ１を初期下りＢＷＰに切り替えてから、端末デバイスが、その上りＢＷＰ２と初期下りＢＷＰとにランダムアクセスを行うようにしてもよく、このように、ネットワークデバイスが、上りＢＷＰ２でＭｓｇ１を受信したときに、その初期下りＢＷＰでＲＡＲを送信するようにして、端末デバイスが、その初期下りＢＷＰでＲＡＲを受信するようにしてもよく、この場合、上りＢＷＰ２と初期下りＢＷＰとはマッピング関係にあると考えてもよい。
【０１０７】
ケース２
任意選択で、いくつかの実施例において、前記端末デバイスが前記第１の上りＢＷＰ及び第１のマッピング関係に基づいて、前記目標下りＢＷＰを決定することは、
前記第１のマッピング関係に基づいて前記第１の上りＢＷＰがいずれかの下りＢＷＰにマッピングされないと決定する場合、前記端末デバイスが初期下りＢＷＰを前記目標下りＢＷＰとして決定することを含む。
【０１０８】
つまり、現在活性化している第１の上りＢＷＰがいずれの下りＢＷＰにもマッピングされておらず、この場合も、現在活性化している上りＢＷＰと下りＢＷＰとはマッピング関係がないと考えてもよく、任意選択で、端末デバイスは、該初期下りＢＷＰを目標下りＢＷＰに決定して、現在活性化している下りＢＷＰを該初期下りＢＷＰに切り替えて、該第１の上りＢＷＰと該初期下りＢＷＰとにランダムアクセスを行ってもよい。
【０１０９】
これに対応して、ネットワークデバイスが第１の上りＢＷＰでＭｓｇ１を受信し、該第１の上りＢＷＰがいずれの下りＢＷＰにもマッピングされていないと決定する場合、端末デバイスがＲＡＲをその初期の下りＢＷＰで受信するように、初期の下りＢＷＰでＲＡＲを返信してもよい。 
例えば、第１のマッピング関係が図４に示すように、ここで、上りＢＷＰ０は下りＢＷＰ０にマッピングされ、上りＢＷＰ１は下りＢＷＰ１にマッピングされ、上りＢＷＰ２と上りＢＷＰ３は、いずれの下りＢＷＰにもマッピングされず、初期上りＢＷＰは初期下りＢＷＰにマッピングされる。
【０１１０】
現在活性化している上りＢＷＰが上りＢＷＰ２である場合、現在活性化している下りＢＷＰが下りＢＷＰ１であり、即ち上りＢＷＰと下りＢＷＰとがマッピング関係を有しない。
【０１１１】
この場合、端末デバイスは、現在活性化している下りＢＷＰ１を初期下りＢＷＰに切り替えた後、端末デバイスは、該上りＢＷＰ２と初期下りＢＷＰとにランダムアクセスを行うことができ、これにより、ネットワークデバイスは、上りＢＷＰ２でＭｓｇ１を受信したとき、該初期下りＢＷＰでＲＡＲを送信することができ、これにより、端末デバイスは、該初期下りＢＷＰでＲＡＲを受信することができ、この場合、上りＢＷＰ２と初期下りＢＷＰとはマッピング関係にあると考えることができる。
【０１１２】
任意選択で、本願の実施例において、該端末デバイスは、現在活性化している下りＢＷＰを初期下りＢＷＰに切り替えることを決定した場合、現在活性化している上りＢＷＰを初期上りＢＷＰに切り替えることを決定してもよく、更に、該初期上りＢＷＰ及び初期下りＢＷＰ上でランダムアクセスを開始してもよい。
【０１１３】
以上のように、端末デバイスが現在活性化している第１の上りＢＷＰと現在活性化している第１の下りＢＷＰとが対応していない場合(例えば、ケース１及びケース２ )、端末デバイスは、現在活性化している下りＢＷＰを、当該第１の上りＢＷＰがマッピングされる下りＢＷＰに切り替えることを決定してもよいし、或いは、初期下りＢＷＰに切り替えて、該第１の上りＢＷＰ及び該第１の上りＢＷＰがマッピングされる下りＢＷＰ上でランダムアクセスを開始し、又は、当該第１の上りＢＷＰ及び初期下りＢＷＰ上でランダムアクセスを開始する。あるいは、端末デバイスは、現在活性化している第１の上りＢＷＰを、初期の上りＢＷＰに切り替えてもよく、すなわち、該端末デバイスは、該初期の上りＢＷＰと該第１の上りＢＷＰとがマッピングされている下りＢＷＰ上でランダムアクセスを開始してもよく、又は、該端末デバイスは、該初期の上りＢＷＰと初期の下りＢＷＰ上でランダムアクセスを開始してもよい。
【０１１４】
任意選択で、いくつかの実施例において、前記方法２００は、さらに、
前記端末デバイスがネットワークデバイスにより送信された第１の切替指令を受信することと、
前記端末デバイスが第１のマッピング関係に基づいて、前記第２の上りＢＷＰがマッピングされる下りＢＷＰを決定することと、
前記端末デバイスが現在活性化している前記第１の上りＢＷＰを前記第２の上りＢＷＰに切り替え、現在活性化している下りＢＷＰを前記第２の上りＢＷＰがマッピングされる下りＢＷＰに切り替えることとを含み、前記第１の切替指令は、前記端末デバイスが現在活性化している第１の上りＢＷＰを第２の上りＢＷＰに切り替えるように指示する。
【０１１５】
任意選択で、いくつかの実施例において、前記方法２００は、さらに、
前記端末デバイスがネットワークデバイスにより送信された第２の切替指令を受信することと、
前記端末デバイスが第１のマッピング関係に基づいて、前記第２の下りＢＷＰがマッピングされる上りＢＷＰを決定することと、
前記端末デバイスが現在活性化している前記第１の下りＢＷＰを前記第２の下りＢＷＰに切り替え、現在活性化している上りＢＷＰを前記第２の下りＢＷＰがマッピングされる上りＢＷＰに切り替えることとを含み、前記第２の切替指令は、現在活性化している第１の下りＢＷＰを第２の下りＢＷＰに切り替えるように指示する。
【０１１６】
従って、端末デバイスは、ＢＷＰの切り替えを行う際に、同時に活性化する上りＢＷＰと下りＢＷＰとがマッピング関係を有するＢＷＰであることを保つように、この第１のマッピング関係に従って、上り下りＢＷＰの切り替えを同時に行うことができ、ＲＡＲの受信に成功する確率を向上させることができる。
【０１１７】
例えば、現在活性化している上りＢＷＰが上りＢＷＰ１であり、現在活性化している下りＢＷＰが下りＢＷＰ１であり、ネットワークデバイスが、上りＢＷＰを上りＢＷＰ２に切り替えることを端末デバイスに指示し、当該上りＢＷＰ２が下りＢＷＰ０にマッピングされていれば、当該端末デバイスは、上りＢＷＰを上りＢＷＰ１から上りＢＷＰ２に切り替えるとともに、下りＢＷＰを下りＢＷＰ１から下りＢＷＰ０に切り替えてもよい。
【０１１８】
図５は、本願の別の実施例によるランダムアクセスのための方法５００の概略的なフローチャートであり、図５に示すように、図１に示す通信システムにおける端末デバイスによって実行され得る方法５００は、以下のものを含む。
【０１１９】
Ｓ５１０において、前記端末デバイスがネットワークデバイスにより送信された切替指令を受信し、前記切替指令は、現在活性化している第１の帯域幅パートＢＷＰを第２のＢＷＰに切り替えるように指示し、ここで、前記第１のＢＷＰと前記第２のＢＷＰとが上りＢＷＰ又は下りＢＷＰであり、
Ｓ５２０において、前記端末デバイスが第１のマッピング関係に基づいて、前記端末デバイスにより現在活性化している上りＢＷＰ及び下りＢＷＰを同時に切り替え、ここで、前記第１のマッピング関係は、前記第２のＢＷＰがマッピングされるＢＷＰを決定するために用いられる。
【０１２０】
例えば、現在活性化している上りＢＷＰが上りＢＷＰ１であり、現在活性化している下りＢＷＰが下りＢＷＰ１であり、ネットワークデバイス７００が、端末デバイスに対して、上りＢＷＰを上りＢＷＰ２に切り替えるように指示し、当該上りＢＷＰ２が下りＢＷＰ０にマッピングされていれば、当該端末デバイスは、上りＢＷＰを上りＢＷＰ１から上りＢＷＰ２に切り替えると同時に、下りＢＷＰを下りＢＷＰ１から下りＢＷＰ０に切り替えてもよい。
【０１２１】
すなわち、端末デバイスは、第１のマッピング関係に基づいて、上り下りＢＷＰの切り替えを同時に行うことができ、切り替え後の上り下りＢＷＰがマッピング関係を有する上り下りＢＷＰであることを保証できるので、ＲＡＲを伝送する下りＢＷＰに対して端末デバイスとネットワークデバイスとが合意を達成し、ＲＡＲの受信に成功する確率を向上させる上で有利となる。
【０１２２】
任意選択で、いくつかの実施例において、Ｓ５２０は、さらに、
前記第１のＢＷＰと前記第２のＢＷＰとが上りＢＷＰである場合、前記端末デバイスが現在活性化している上りＢＷＰを前記第１のＢＷＰから前記第２のＢＷＰに切り替え、現在活性化している下りＢＷＰを前記第２のＢＷＰがマッピングされる下りＢＷＰに切り替えることを含む。
【０１２３】
任意選択で、いくつかの実施例において、Ｓ５２０は、さらに、
前記第１のＢＷＰと前記第２のＢＷＰとが下りＢＷＰである場合、前記端末デバイスが現在活性化している下りＢＷＰを前記第１のＢＷＰから前記第２のＢＷＰに切り替え、現在活性化している上りＢＷＰを前記第２のＢＷＰがマッピングされる上りＢＷＰに切り替えることを含む。
【０１２４】
任意選択で、いくつかの実施例において、前記第１のマッピング関係は、上りＢＷＰと下りＢＷＰとのマッピング関係である。
【０１２５】
任意選択で、いくつかの実施例において、前記第１のマッピング関係は、上りＢＷＰのＢＷＰインデックスと下りＢＷＰのＢＷＰインデックスとのマッピング関係である。
【０１２６】
任意選択で、いくつかの実施例において、上りＢＷＰの数と下りＢＷＰの数とが等しい場合、上りＢＷＰのＢＷＰインデックスＫが下りＢＷＰのＢＷＰインデックスｋにマッピングされ、ここで、Ｋとｋが整数であり、且つＫ＝ｋである。
【０１２７】
任意選択で、いくつかの実施例において、上りＢＷＰの数が下りＢＷＰの数よりも大きい場合、上りＢＷＰのＢＷＰインデックスＫが下りＢＷＰのＢＷＰインデックスｋにマッピングされ、ここで、Ｋとｋが整数であり、且つｋがＭをＫでモジュロ演算する結果であり、Ｍがネットワークデバイスにより構成された下りＢＷＰの数である。
【０１２８】
任意選択で、いくつかの実施例において、前記第１のマッピング関係は、上りＢＷＰ上に構成されたランダムアクセスリソースと下りＢＷＰとのマッピング関係である。
【０１２９】
任意選択で、いくつかの実施例において、前記第１のマッピング関係は、ランダムアクセスリソースと下りＢＷＰのＢＷＰインデックスとのマッピング関係である。
【０１３０】
なお、この第１のマッピング関係は、前述の第１のマッピング関係であってもよく、特に前述の実施例に関する説明に参照してもよく、ここでその説明が省略される。
【０１３１】
本願の方法の実施例が図２〜図５に関連して上述され、本願のデバイスの実施例が図６〜図９に関連して以下に詳細に説明され、デバイスの実施例と方法の実施例とは互いに対応し、同様の説明は方法の実施例を参照し得る。
【０１３２】
図６は本願の実施例におけるランダムアクセスのためのデバイス６００のブロック図である。図６に示すように、該デバイス６００は、決定モジュール６１０及び通信モジュール６２０を含み、
決定モジュール６１０は、ランダムアクセスのための目標上り帯域幅パートＢＷＰ及び／又は目標下りＢＷＰを決定するように構成され、
通信モジュール６２０は、前記目標上り及び／又は下りＢＷＰにおいて、競合ランダムアクセスを開始するように構成される。
【０１３３】
任意選択で、いくつかの実施例において、前記決定モジュール６１０は、さらに、
現在活性化している第１の上りＢＷＰに基づいて、前記目標下りＢＷＰを決定するように構成される。
【０１３４】
任意選択で、いくつかの実施例において、前記決定モジュール６１０は、さらに、
前記第１の上りＢＷＰ及び第１のマッピング関係に基づいて、前記目標下りＢＷＰを決定するように構成され、ここで、前記第１のマッピング関係が、前記第１の上りＢＷＰがマッピングされる下りＢＷＰを決定する。
【０１３５】
任意選択で、いくつかの実施例において、前記決定モジュール６１０は、さらに、
前記第１のマッピング関係に基づいて前記第１の上りＢＷＰがいずれかの下りＢＷＰにマッピングされないと決定する場合、初期下りＢＷＰを前記目標下りＢＷＰとして決定するように構成される。
【０１３６】
任意選択で、いくつかの実施例において、前記決定モジュール６１０は、さらに、
前記第１のマッピング関係に基づいて前記第１の上りＢＷＰが第１の下りＢＷＰにマッピングされると決定し、前記第１の下りＢＷＰが前記デバイスにより現在活性化している下りＢＷＰでない場合、前記第１の下りＢＷＰを前記目標下りＢＷＰとして決定するように構成される。
【０１３７】
任意選択で、いくつかの実施例において、前記決定モジュール６１０は、さらに、
前記第１のマッピング関係に基づいて前記第１の上りＢＷＰが第１の下りＢＷＰにマッピングされると決定し、前記第１の下りＢＷＰが前記デバイスにより現在活性化している下りＢＷＰでない場合、初期下りＢＷＰを前記目標下りＢＷＰとして決定するように構成される。
【０１３８】
任意選択で、いくつかの実施例において、前記決定モジュール６１０は、さらに、
現在活性化している下りＢＷＰを前記目標下りＢＷＰとして決定するように構成される。
【０１３９】
任意選択で、いくつかの実施例において、前記決定モジュール６１０は、さらに、
現在活性化している上りＢＷＰ又は初期上りＢＷＰを前記目標上りＢＷＰとして決定するように構成される。
【０１４０】
任意選択で、いくつかの実施例において、前記通信モジュール６２０は、さらに、
ネットワークデバイスにより送信された第１の切替指令を受信するように構成され、前記第１の切替指令は、前記デバイスが現在活性化している第１の上りＢＷＰを第２の上りＢＷＰに切り替えるように指示し、
前記決定モジュール６１０は、さらに、第１のマッピング関係に基づいて、前記第２の上りＢＷＰがマッピングされる下りＢＷＰを決定するように構成され、
前記デバイス６００は、さらに、切替モジュールを含み、
切替モジュールは、現在活性化している前記第１の上りＢＷＰを前記第２の上りＢＷＰに切り替え、現在活性化している下りＢＷＰを前記第２の上りＢＷＰがマッピングされる下りＢＷＰに切り替えるように構成される。
【０１４１】
任意選択で、いくつかの実施例において、前記通信モジュール６２０は、さらに、
ネットワークデバイスにより送信された第２の切替指令を受信するように構成され、前記第２の切替指令は、現在活性化している第１の下りＢＷＰを第２の下りＢＷＰに切り替えるように指示し、
前記決定モジュール６１０は、さらに、第１のマッピング関係に基づいて、前記第２の下りＢＷＰがマッピングされる上りＢＷＰを決定するように構成される。
【０１４２】
前記デバイス６００は、さらに、切替モジュールを含み、
切替モジュールは、現在活性化している前記第１の下りＢＷＰを前記第２の下りＢＷＰに切り替え、現在活性化している上りＢＷＰを前記第２の下りＢＷＰがマッピングされる上りＢＷＰに切り替えるように構成される。
【０１４３】
任意選択で、いくつかの実施例において、前記第１のマッピング関係は、上りＢＷＰと下りＢＷＰとのマッピング関係である。
【０１４４】
任意選択で、いくつかの実施例において、前記第１のマッピング関係は、上りＢＷＰのＢＷＰインデックスと下りＢＷＰのＢＷＰインデックスとのマッピング関係である。
【０１４５】
任意選択で、いくつかの実施例において、上りＢＷＰの数と下りＢＷＰの数とが等しい場合、上りＢＷＰのＢＷＰインデックスＫが下りＢＷＰのＢＷＰインデックスｋにマッピングされ、ここで、Ｋとｋが整数であり、且つＫ＝ｋである。
【０１４６】
任意選択で、いくつかの実施例において、上りＢＷＰの数が下りＢＷＰの数よりも大きい場合、上りＢＷＰのＢＷＰインデックスＫが下りＢＷＰのＢＷＰインデックスｋにマッピングされ、ここで、Ｋとｋが整数であり、且つｋがＭをＫでモジュロ演算する結果であり、Ｍがネットワークデバイスにより構成された下りＢＷＰの数である。
【０１４７】
任意選択で、いくつかの実施例において、前記第１のマッピング関係は、上りＢＷＰ上に構成されたランダムアクセスリソースと下りＢＷＰとのマッピング関係である。
【０１４８】
任意選択で、いくつかの実施例において、前記第１のマッピング関係は、ランダムアクセスリソースと下りＢＷＰのＢＷＰインデックスとのマッピング関係である。
【０１４９】
任意選択で、いくつかの実施例において、前記通信モジュール６２０は、具体的に、
前記目標上りＢＷＰにおいて、前記目標上りＢＷＰに構成されたランダムアクセスリソースを利用して、ランダムアクセスプリアンブルを送信し、
前記目標下りＢＷＰにおいて、ネットワークデバイスにより送信されたランダムアクセス応答ＲＡＲを受信するように構成される。
【０１５０】
任意選択で、いくつかの実施例において、前記デバイス６００は、さらに、切替モジュールを含み、
切替モジュールは、前記デバイスにより現在活性化している下りＢＷＰが前記目標下りＢＷＰと異なる場合、現在活性化している下りＢＷＰを前記目標下りＢＷＰに切り替えるように構成される。
【０１５１】
なお、本願の実施例によるランダムアクセスのためのデバイス６００は、本願の実施例による端末デバイスに対応し、デバイス６００の各ユニットの上記及びその他の動作及び/又は機能は、図２に示す方法２００の端末デバイスの対応するフローをそれぞれ実現するために、簡潔のためにここで説明を省略する。
【０１５２】
図７は本願の実施例におけるランダムアクセスのためのデバイスのブロック図である。図７のデバイス７００は、通信モジュール７１０及び切替モジュール７２０を含み、
通信モジュール７１０は、ネットワークデバイスにより送信された切替指令を受信するように構成され、前記切替指令は、現在活性化している第１の帯域幅パートＢＷＰを第２のＢＷＰに切り替えるように指示し、ここで、前記第１のＢＷＰと前記第２のＢＷＰとが上りＢＷＰ又は下りＢＷＰであり、
切替モジュール７２０は、第１のマッピング関係に基づいて、前記デバイス現在活性化している上りＢＷＰ及び下りＢＷＰを切り替えるように構成され、ここで、前記第１のマッピング関係は、前記第２のＢＷＰがマッピングされるＢＷＰを決定するために用いられる。
【０１５３】
任意選択で、いくつかの実施例において、前記切替モジュールは、具体的に、
前記第１のＢＷＰと前記第２のＢＷＰとが上りＢＷＰである場合、現在活性化している上りＢＷＰを前記第１のＢＷＰから前記第２のＢＷＰに切り替え、現在活性化している下りＢＷＰを前記第２のＢＷＰがマッピングされる下りＢＷＰに切り替えるように構成される。
【０１５４】
任意選択で、いくつかの実施例において、前記切替モジュールは、具体的に、
前記第１のＢＷＰと前記第２のＢＷＰとが下りＢＷＰである場合、現在活性化している下りＢＷＰを前記第１のＢＷＰから前記第２のＢＷＰに切り替え、現在活性化している上りＢＷＰを前記第２のＢＷＰがマッピングされる上りＢＷＰに切り替えるように構成される。
【０１５５】
任意選択で、いくつかの実施例において、前記第１のマッピング関係は、上りＢＷＰと下りＢＷＰとのマッピング関係である。
【０１５６】
任意選択で、いくつかの実施例において、前記第１のマッピング関係は、上りＢＷＰのＢＷＰインデックスと下りＢＷＰのＢＷＰインデックスとのマッピング関係である。
【０１５７】
任意選択で、いくつかの実施例において、上りＢＷＰの数と下りＢＷＰの数とが等しい場合、上りＢＷＰのＢＷＰインデックスＫが下りＢＷＰのＢＷＰインデックスｋにマッピングされ、ここで、Ｋとｋが整数であり、且つＫ＝ｋである。
【０１５８】
任意選択で、いくつかの実施例において、上りＢＷＰの数が下りＢＷＰの数よりも大きい場合、上りＢＷＰのＢＷＰインデックスＫが下りＢＷＰのＢＷＰインデックスｋにマッピングされ、ここで、Ｋとｋが整数であり、且つｋがＭをＫでモジュロ演算する結果であり、Ｍがネットワークデバイスにより構成された下りＢＷＰの数である。
【０１５９】
任意選択で、いくつかの実施例において、前記第１のマッピング関係は、上りＢＷＰ上に構成されたランダムアクセスリソースと下りＢＷＰとのマッピング関係である。
【０１６０】
任意選択で、いくつかの実施例において、前記第１のマッピング関係は、ランダムアクセスリソースと下りＢＷＰのＢＷＰインデックスとのマッピング関係である。
【０１６１】
具体的には、該デバイス７００は、上記方法５００で説明された端末デバイスに対応(例えば、構成又はそれ自体で)することができ、且つ該デバイス７００における各モジュール又はユニットは、それぞれ、上記方法５００で端末デバイスが実行する各動作又は処理過程を実行するために使用されるが、ここで、詳しい説明を避けるために、その詳細な説明は省略する。
【０１６２】
図８に示されるように、本願の実施例は、ランダムアクセスのためのデバイス８００をさらに提供し、デバイス８００は、図２の方法２００に対応する端末デバイスのコンテンツを実行するために使用され得る、図６のデバイス６００であり得る。デバイス８００は、入力インターフェース８１０、出力インターフェース８２０、プロセッサ８３０、及びメモリ８４０を含み、入力インターフェース８１０、出力インターフェース８２０、プロセッサ８３０、及びメモリ８４０は、バスシステムによって接続されてもよい。メモリ８４０は、プログラム、命令、またはコードを含む命令を記憶するために使用される。プロセッサ８３０は、メモリ８４０内のプログラム、命令、又はコードを実行して、入力インターフェース８１０を制御して信号を受信し、出力インターフェース８２０を制御して信号を送信し、且つ前述の方法の実施例の動作を完了する。
【０１６３】
なお、プロセッサ８３０は、本願の実施例において、中央処理装置( Ｃｅｎｔｒａｌ Ｐｒｏｃｅｓｓｉｎｇ Ｕｎｉｔ、略して「ＣＰＵ」)であってもよく、他の汎用プロセッサ、デジタル信号プロセッサ( ＤＳＰ )、特定用途向け集積回路( ＡＳＩＣ )、既製のプログラマブルゲートアレイ( ＦＰＧＡ  )又は他のプログラマブル論理デバイス、ディスクリートゲート又はトランジスタロジック、ディスクリートハードウェアコンポーネント等であってもよいことが理解されるべきである。汎用プロセッサはマイクロプロセッサであってもよく、プロセッサは任意の従来のプロセッサなどであってもよい。
【０１６４】
メモリ８４０は、読み出し専用メモリおよびランダムアクセスメモリを含み得、プロセッサ８３０に命令およびデータを提供し得る。メモリ８４０の一部は、不揮発性ランダムアクセスメモリも含み得る。例えば、メモリ８４０は、デバイスタイプの情報をさらに記憶してもよい。
【０１６５】
実施において、方法の各コンテンツは、プロセッサ８３０内のハードウェアの集積論理回路またはソフトウェア形態の命令によって実現されてもよい。本願の実施例に関連して開示される方法の内容は、ハードウェアプロセッサ実行として直接的に、またはプロセッサ内のハードウェアおよびソフトウェアモジュールの組み合わせで実行を完了するように具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。記憶媒体はメモリ８４０に位置し、プロセッサ８３０はメモリ８４０内の情報を読み出し、ハードウェアとともに上述した方法の内容を実現する。重複を避けるため、ここでは詳細な説明は省略する。
【０１６６】
一つの具体的な実施例において、図６のデバイス６００に含まれた決定モジュール６１０及び切替モジュールは、図８のプロセッサ８３０で具現され、図６のデバイス６００に含まれた通信モジュール６２０は、図８の入力インターフェース８１０及び出力インターフェース８２０で具現される。
【０１６７】
図９に示されるように、本願の実施例は、ランダムアクセスのためのデバイス９００をさらに提供し、デバイス９００は、図５の方法５００に対応する端末デバイスのコンテンツを実行するために使用され得る、図７のデバイス７００であり得る。デバイス９００は、入力インターフェース９１０、出力インターフェース９２０、プロセッサ９３０、及びメモリ９４０を含み、入力インターフェース９１０、出力インターフェース９２０、プロセッサ９３０、及びメモリ９４０は、バスシステムによって接続されてもよい。メモリ９４０は、プログラム、命令、またはコードを含むデータを記憶するために使用される。プロセッサ９３０は、メモリ９４０内のプログラム、命令、又はコードを実行して、入力インターフェース９１０を制御して信号を受信し、出力インターフェース９２０を制御して信号を送信し、上述の方法の実施例の動作を完了する。
【０１６８】
なお、プロセッサ９３０は、本願の実施例において、中央処理装置( Ｃｅｎｔｒａｌ Ｐｒｏｃｅｓｓｉｎｇ Ｕｎｉｔ、略して「ＣＰＵ」)であってもよく、他の汎用プロセッサ、デジタル信号プロセッサ( ＤＳＰ )、特定用途向け集積回路( ＡＳＩＣ )、既製のプログラマブルゲートアレイ( ＦＰＧＡ)又は他のプログラマブル論理デバイス、ディスクリートゲート又はトランジスタロジック、ディスクリートハードウェアコンポーネント等であってもよいことが理解されるべきである。汎用プロセッサはマイクロプロセッサであってもよく、プロセッサは任意の従来のプロセッサなどであってもよい。
【０１６９】
メモリ９４０は、読み出し専用メモリ及びランダムアクセスメモリを含み得、プロセッサ９３０に命令及びデータを提供し得る。メモリ９４０の一部は、不揮発性ランダムアクセスメモリも含み得る。例えば、メモリ９４０は、デバイスタイプの情報をさらに記憶してもよい。
【０１７０】
実装の過程で、方法の各コンテンツは、プロセッサ９３０内のハードウェアの集積論理回路またはソフトウェア形態の命令によって達成され得る。本願の実施例に関連して開示される方法の内容は、ハードウェアプロセッサ実行として直接的に、またはプロセッサ内のハードウェアおよびソフトウェアモジュールの組み合わせで実行を完了するように具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。記憶媒体は、メモリ９４０に位置し、プロセッサ９３０は、メモリ９４０内の情報を読み取り、そのハードウェアとともに、上記方法の内容を達成する。重複を避けるため、ここでは詳細な説明は省略する。
【０１７１】
一つの具体的な実装では、図７のデバイス７００に含まれる切替モジュール７１０は、図９のプロセッサ９３０によって実装され得、図７のデバイス７００に含まれる通信モジュール７２０は、図９の入力インターフェース９１０および出力インターフェース９２０によって実装され得る。
【０１７２】
本願の実施例は、複数のアプリケーションプログラムを含む携帯型電子機器によって実行されると、図２〜図５に示す実施例の方法を携帯型電子機器に実行させることが可能な命令を含む１又は複数のプログラムを記憶するコンピュータ可読記憶媒体をさらに提供する。
【０１７３】
本願の実施例は、コンピュータプログラムをさらに提供し、コンピュータプログラムは、コンピュータプログラムがコンピュータによって実行されると、コンピュータに、図２〜図５に示される実施例の方法の対応するフローを実行させる命令を含む。
【０１７４】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１７５】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１７６】
本明細書で提供するいくつかの実施例では、開示されたシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１７７】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０１７８】
また、本発明の各実施例における各機能部は、１つの処理部に集積されてもよいし、各部は、物理的に別個に存在してもよいし、２つ以上の部が１つの部に集積されてもよい。
【０１７９】
また、ソフトウェア的な機能単位で実現され、独立した製品として販売又は使用される場合には、コンピュータ読み取り可能な記録媒体に格納されてもよい。このような理解に基づいて、本発明の技術的解決策の本質または従来技術に寄与する部分、または本発明の技術的解決策の部分は、１つのコンピュータ装置(パーソナルコンピュータ、サーバ、またはネットワークデバイスなどであってもよい)に本発明の様々な実施例による方法のステップの全てまたは一部を実行させるための複数の命令を含む１つの記憶媒体に記憶されたソフトウェア製品の形態で具現化されてもよい。なお、前記記憶媒体としては、Ｕ-ディスク、リムーバブルハードディスク、リードオンリーメモリ( ＲＯＭ、Ｒｅａｄ−Ｏｎｌｙ Ｍｅｍｏｒｙ )、ランダムアクセスメモリ( ＲＡＭ、Ｒａｎｄｏｍ Ａｃｃｅｓｓ Ｍｅｍｏｒｙ )、磁気ディスク、光ディスク等のプログラムコードを記憶できる種々の媒体を包含する。
【０１８０】
以上、本発明の具体的な実施例を説明したが、本発明の技術的範囲はこれに限定されるものではなく、本発明が属する技術分野で通常の知識を有する者であれば、本発明の技術的範囲内で容易に変更や置換をなし得ることは勿論である。したがって、本発明の保護範囲は、特許請求の範囲によって定義されるべきである。
【図１】
2021521665.tif 000003
【図２】
2021521665.tif 000004
【図３】
2021521665.tif 000005
【図４】
2021521665.tif 000006
【図５】
2021521665.tif 000007
【図６】
2021521665.tif 000008
【図７】
2021521665.tif 000009
【図８】
2021521665.tif 000010
【図９】
2021521665.tif 000011
【手続補正書】
【提出日】令和3年3月2日(2021.3.2)
【手続補正１】
【補正対象書類名】特許請求の範囲
【補正対象項目名】全文
【補正方法】変更
【補正の内容】
【特許請求の範囲】
【請求項１】
端末デバイスが第１の上りＢＷＰ及び第１のマッピング関係に基づいて、ランダムアクセスのための目標下りＢＷＰを決定することと、
前記端末デバイスが第１の上りＢＷＰ及び目標下りＢＷＰにおいて、競合に基づくランダムアクセスを行うこととを含み、
前記第１の上りＢＷＰは、現在活性化している上りＢＷＰであり、前記第１のマッピング関係は、第１の上りＢＷＰがマッピングされる下りＢＷＰを決定するために使用される
ことを特徴とするランダムアクセスのための方法。
【請求項２】
前記端末デバイスが前記第１の上りＢＷＰ及び第１のマッピング関係に基づいて、前記目標下りＢＷＰを決定することは、
前記第１のマッピング関係に基づいて前記第１の上りＢＷＰが第１の下りＢＷＰにマッピングされると決定し、前記第１の下りＢＷＰが前記端末デバイスにより現在活性化している下りＢＷＰでない場合、前記端末デバイスが前記第１の下りＢＷＰを前記目標下りＢＷＰとして決定することを含む
ことを特徴とする請求項１に記載のランダムアクセスのための方法。
【請求項３】
前記端末デバイスが前記第１の上りＢＷＰ及び第１のマッピング関係に基づいて、前記目標下りＢＷＰを決定することは、
前記第１のマッピング関係に基づいて前記第１の上りＢＷＰが第１の下りＢＷＰにマッピングされると決定し、前記第１の下りＢＷＰが前記端末デバイスにより現在活性化している下りＢＷＰでない場合、前記端末デバイスが初期下りＢＷＰを前記目標下りＢＷＰとして決定することを含む
ことを特徴とする請求項１に記載のランダムアクセスのための方法。
【請求項４】
前記第１のマッピング関係は、上りＢＷＰのＢＷＰインデックスと下りＢＷＰのＢＷＰインデックスとのマッピング関係である
ことを特徴とする請求項１に記載のランダムアクセスのための方法。
【請求項５】
前記方法は、さらに、
前記端末デバイスにより現在活性化している下りＢＷＰが前記目標下りＢＷＰと異なる場合、前記端末デバイスが現在活性化している下りＢＷＰを前記目標下りＢＷＰに切り替えることを含む
ことを特徴とする請求項１〜４のいずれか１項に記載のランダムアクセスのための方法。
【請求項６】
前記端末デバイスは、第１の上りＢＷＰと現在活性化している下りＢＷＰとが第１のマッピング関係を有するＢＷＰである場合、下りＢＷＰの切り替えを行わない
ことを特徴とする請求項１〜４のいずれか１項に記載のランダムアクセスのための方法。
【請求項７】
前記端末デバイスは、第１の上りＢＷＰが初期上りＢＷＰであり、現在活性化している下りＢＷＰが初期下りＢＷＰでない場合、現在活性化している下りＢＷＰを初期下りＢＷＰに切り替える
ことを特徴とする請求項１〜４のいずれか１項に記載のランダムアクセスのための方法。
【請求項８】
決定モジュールと、通信モジュールとを備えるランダムアクセスのためのデバイスであって、
前記決定モジュールは、第１の上りＢＷＰ及び第１のマッピング関係に基づいて、ランダムアクセスのための目標下りＢＷＰを決定するように構成され、
前記第１の上りＢＷＰは、現在活性化している上りＢＷＰであり、前記第１のマッピング関係は、第１の上りＢＷＰがマッピングされる下りＢＷＰを決定するために使用され、
前記通信モジュールは、第１の上りＢＷＰ及目標下りＢＷＰにおいて、競合に基づくランダムアクセスを行うように構成される
ことを特徴とするランダムアクセスのためのデバイス。
【請求項９】
前記決定モジュールは、さらに、
前記第１のマッピング関係に基づいて前記第１の上りＢＷＰが第１の下りＢＷＰにマッピングされると決定し、前記第１の下りＢＷＰが前記デバイスにより現在活性化している下りＢＷＰでない場合、前記第１の下りＢＷＰを前記目標下りＢＷＰとして決定するように構成される
ことを特徴とする請求項８に記載のランダムアクセスのためのデバイス。
【請求項１０】
前記決定モジュールは、さらに、
前記第１のマッピング関係に基づいて前記第１の上りＢＷＰが第１の下りＢＷＰにマッピングされると決定し、前記第１の下りＢＷＰが前記デバイスにより現在活性化している下りＢＷＰでない場合、初期下りＢＷＰを前記目標下りＢＷＰとして決定するように構成される
ことを特徴とする請求項８に記載のランダムアクセスのためのデバイス。
【請求項１１】
前記第１のマッピング関係は、上りＢＷＰのＢＷＰインデックスと下りＢＷＰのＢＷＰインデックスとのマッピング関係である
ことを特徴とする請求項８に記載のランダムアクセスのためのデバイス。
【請求項１２】
前記デバイスは、さらに、切替モジュールを含み、
切替モジュールは、前記デバイスにより現在活性化している下りＢＷＰが前記目標下りＢＷＰと異なる場合、現在活性化している下りＢＷＰを前記目標下りＢＷＰに切り替えるように構成される
ことを特徴とする請求項８〜１１のいずれか１項に記載のランダムアクセスのためのデバイス。
【請求項１３】
前記デバイスは、さらに、切替モジュールを含み、
前記切替モジュールは、第１の上りＢＷＰと現在活性化している下りＢＷＰとが第１のマッピング関係を有するＢＷＰである場合、下りＢＷＰの切り替えを行わないように構成される
ことを特徴とする請求項８〜１１のいずれか１項に記載のランダムアクセスのためのデバイス。
【請求項１４】
前記デバイスは、さらに、切替モジュールを含み、
前記切替モジュールは、第１の上りＢＷＰが初期上りＢＷＰであり、現在活性化している下りＢＷＰが初期下りＢＷＰでない場合、現在活性化している下りＢＷＰを初期下りＢＷＰに切り替えるように構成される
ことを特徴とする請求項８〜１１のいずれか１項に記載のランダムアクセスのためのデバイス。
【請求項１５】
端末デバイスのプロセッサによって実行されたときに、前記端末デバイスに請求項１〜７のいずれか１項に記載の方法を実行させる命令を記憶した
ことを特徴とするコンピュータ可読記憶媒体。
【国際調査報告】
2021521665.tif 000012
2021521665.tif 000013
2021521665.tif 000014
2021521665.tif 000015